(57)【特許請求の範囲】
【請求項１】
照射開口を有する器具本体と、前記照射開口に配置された装飾体とを備え、
前記装飾体は、中央に切欠を有する複数の透光板を、前記切欠で公差状態に噛み合わせたものであり、
各透光板が前記照射開口の投光方向に略平行となる姿勢に配置されて、前記照射開口から突き出した先端の交差部分が突出または凹んでおり、前記透光板の前記照射開口側の端面を入射面とし、前記先端側の端面を出射面とした照明器具。
【発明の詳細な説明】
【０００１】
【発明の属する技術分野】
この発明は、ダウンライト等に適用する照明器具に関するものである。
【０００２】
【従来の技術】
図１９および図２０は第１の従来例のダウンライト等の埋込型照明器具を示す。すなわち、この埋込型照明器具は、天井５６の埋込孔５７に埋設されて天井面に照射開口５２を有する器具本体５０と、この器具本体５０に納装されたランプソケット５１および反射板５２と、照射開口５２に取付けられた装飾体５３とを備えている。装飾体５３は照射開口５２の縁部に取付けられるリング状の支持体５４と、この支持体５４に吊り下げられた多数の透明部品５５からなる。
【０００３】
図２１および図２２は第２の従来例であるが、装飾体５３が吊棒５９を有するリング状の支持体５４と、吊棒５９に取付けられて照射開口５２を覆う透明板５８からなるものである。
【０００４】
【発明が解決しようとする課題】
しかし、第１の従来例は、各透明部品５５の反射・屈折の光量が少ないことと、透明部品５５が小さい部品の集合であるため輝きが分散してしまい、輝度感によるアイキャッチ効果が低いという欠点があった。また、照明配光も損なわれる。
【０００５】
第２の従来例は、照明配光は損なわれないものの、透明板５８に対して光の入射角と出射角が直角に近いため、透明板５８の端部から出る光量が少なく、輝度感によるアイキャッチ効果が低いという欠点があった。
したがって、この発明の目的は、照明配光をほとんど損なうことなく輝度感のあるアイキャッチ効果を高くでき、にぎやかさや豪華さなど装飾的な光の効果を演出できる照明器具を提供することである。
【０００６】
【課題を解決するための手段】
請求項１記載の照明器具は、照射開口を有する器具本体と、前記照射開口に配置された装飾体とを備え、
前記装飾体は、中央に切欠を有する複数の透光板を、前記切欠で公差状態に噛み合わせたものであり、
各透光板が前記照射開口の投光方向に略平行となる姿勢に配置されて、前記照射開口から突き出した先端の交差部分が突出または凹んでおり、前記透光板の前記照射開口側の端面を入射面とし、前記先端側の端面を出射面としたものである。
【０００７】
請求項１記載の照明器具によれば、器具本体内のランプの点灯により照射開口および透光板を透して光が照射されるので器具本体の照明配光をほとんど損なわない。また光が透光板のランプ側の端縁から入射し透光板内を反射して、主に側縁および先端縁ならびに切欠縁から外方に出射するので、透光板の先端縁および側縁ならびに交差部の切欠縁に輝度感のある発光が可能となる。このため、従来に比して輝度感による高いアイキャッチ効果が得られ、にぎやかさや豪華さなどの装飾的および美的な光を演出することができる。また透光板の平面形状により先端縁側に光を集中したり、平面形状の異なる透光板を交換可能にしたり、あるいは透光板の個数を増加することにより、より一層美的な装飾効果を高められる。
【０００８】
【発明の実施の形態】
この発明の第１の実施の形態を図１ないし図６により説明する。すなわち、この照明器具はダウンライトであり、器具本体１と、装飾体２とを有する。
器具本体１は、照射開口３を有し内部にランプ４を有する。実施の形態では、器具本体１が天井５の埋込孔６に埋設されている。７は照射開口３の縁部に設けられて天井５の埋込孔６の縁部に係止するつば、８（図２等）は器具本体１の側面に設けられて天井５の裏面に係止する取付具、９は器具本体１内に取付けられてランプ４を装着したランプソケット、１０は反射板、１１はつば７を被覆する化粧リングであり、器具本体１にキックばね等の取付手段により取付けられ、反射板１０を支持している。ランプソケット９に給電されてランプ４が点灯すると、ランプ４の直接光および反射板１０の反射光が照射開口３を通して外部に照射し、所定の照明配光を形成する。１９（図２等）は器具本体１の放熱孔である。
【０００９】
装飾体２は、複数の透光板１２，１３からなり、透光板１２，１３に形成した切欠１５，１６で噛み合わせることにより、複数の透光板１２，１３を交差するとともに透光板１２，１３が照射開口３の投光方向に略平行となる姿勢に照射開口３に配置している。実施の形態の装飾体２は、たとえばアクリル板で形成した各透光板１２，１３のランプ４側の端縁１２ａ，１３ａの両側に係止部１７を突設し、端縁１２ａに弧状の凹部１８を形成し、各透光板１２，１３の先端縁および両側縁は略Ｓ字状のやわらかい曲面により連続し、先端縁の中心に突出部２０を形成している。各透光板１２，１３の形状を全体的にみると、いわば平面的にみた漏斗状をなしている。
【００１０】
また透光板１２の切欠１５は先端縁の中心の突出部２０に全高の約１／２の深さで形成し、透光板１３の切欠１６はランプ４側の端縁１２ａの凹部１８の中心に全高の約１／２の深さで形成し、切欠１５，１６が噛み合うように透光板１２，１３を組み合わせた状態で図４に示すように透光板１２，１３を十字に交差した装飾体２を形成している。この装飾体２の係止部１７を化粧リング１１に係止すると、装飾体２が図１および図２に示すように器具本体１に取付けられる。
【００１１】
図１の矢印で示す光線Ｌ1 は、ランプ４の点灯により透光板１２に光が入射した状態を説明している。すなわち、ランプ４の光が凹部１８より透光板１２に略垂直に入射する。そのため屈折光は直進し、透光板１２の先端縁および側縁の略Ｓ状の曲面を一部反射し残部が屈折して外部に出射しその出射部分が発光面となる。また一部反射光は切欠１５の切欠縁を一部反射し残部が屈折して外部に出射しその出射部分が発光面となり、また透光板１２内の一部反射光は次第に突出部２０に集中し、突出部２０における側縁および切欠縁より射出しこれらの部分が発光面となる。
【００１２】
また図５は透光板１３に光Ｌ2 が入射した状態を説明している。すなわち、ランプ４の光が凹部１８より透光板１２に略垂直に入射し、屈折光は直進し、透光板１２の先端縁および側縁の略Ｓ状の曲面を一部反射し残部が屈折して外部に出射しその出射部分が発光面となる。また一部反射光の一部は切欠１６の切欠縁を一部反射し残部が屈折して外部に出射しその出射部分が発光面となり、透光板１２内の一部反射光は次第に突出部２０に集中し、突出部２０における側縁より射出しこの出射部分が発光面となる。
【００１３】
このように、各透光板１２，１３の外形は器具本体１からみた先端側を除々に細くした曲線により形成され、透光板１２，１３の外形の端面での反射光はその曲線の角度により、透光板１２，１３の先端の突出部２０に集まり輝度の高い部分を作る。また図４に示すように二枚の透光板１２，１３の切欠１５，１６を互いに噛み合わせるため、透光板１２，１３の内部を通る光が発光面となる切欠縁のある交差部１４にも現れ、突出部２０の周縁とともに透光板１２，１３の交差部１４に輝度の高い部分を作る。この結果、図６に示すように装飾体２の各透光板１２，１３の側縁および先端縁の発光面のうち輝度の高い部分Ａが突出部２０および交差部１４に現れ、輝度の低い部分Ｂが透光板１２，１３の側縁に現れる。
【００１４】
第１の実施の形態によれば、器具本体１内のランプ４の点灯により照射開口３および透光板１２，１３を透して光が照射されるので、器具本体１の照明配光すなわちダウンライトとしての配光をほとんど損なわない。また光が透光板１２，１３のランプ４側の端縁から入射し透光板１２，１３内を反射して、主に側縁および先端縁ならびに切欠縁から外方に出射するので、透光板１２，１３の先端縁および側縁ならびに交差部の切欠縁に輝度感のある発光が可能となる。このため、従来に比して輝度感による高いアイキャッチ効果が得られ、にぎやかさや豪華さなどの装飾的および美的な光を演出することができる。
【００１５】
また透光板１２，１３の先端縁側に突出部２０を形成しているため、突出部２０および切欠１５，１６の切欠縁に光を集中でき高輝度を発生でき、美的な装飾効果を高めることができる。
この発明の第２の実施の形態を図７ないし図１０に示す。すなわち、この照明器具は、第１の実施の形態において、装飾体２の透光板１２，１３の器具本体１からみた先端側の幅を除々に細くし、先端より１／３ぐらいのところからまた幅を除々に膨らませる曲線で側縁１２ｂ，１３ｂを形成し、その側縁の先端角に一枚当たり２個の角状の張出突部２１を形成するように、張出突部２１から先端縁１２ｃ，１３ｃの中心の交差部１４に向けて切れあがった形状に形成し、各透光板１２，１３は全体的にみて蝶のような鳥羽状に形成している。
【００１６】
この透光板１２，１３の外形の端縁での反射光は図８および図９に光線Ｌ1 ，Ｌ2 で示すように、透光板１２，１３の端縁の曲線の角度により、透光板１２，１３の張出突部２１に集まり、図１０に示すように輝度の高い部分Ａを作る。また透光板１２，１３を互いに噛み合わせるための切欠１５，１６は第１の実施の形態と同様であり、したがって透光板１２，１３の交差部１４にも輝度の高い部分Ａを作る。また透光板１２，１３の輝度の低い部分Ｂは透光板１２，１３の側縁となる。
【００１７】
その他は、第１の実施の形態と同様であり、共通部分に同一符号を付している。また第１の実施の形態と同様な効果がある。
この発明の第３の実施の形態を図１１ないし図１４に示す。すなわち、この照明器具は、第１の実施の形態において、装飾体２の透光板１２，１３の器具本体１からみた先端側の幅を除々に細くした曲線により側縁１２ｂ，１３ｂを形成し、先端縁１２ｃ，１３ｃに１枚あたり二つの曲線状の突起部２２を作るように先端縁１２ｃ，１３ｃの交差部１４に向けてきれ上がった形状に形成し、全体として各透光板１２，１３を平面的にみて尻形に形成している。
【００１８】
この透光板１２，１３の外形の端面での反射光Ｌ1 ，Ｌ2 はその曲線の角度により、透光板１２，１３の二つの突起部２２に集まり、輝度の高い部分Ａを作る。また二枚の透光板１２，１３は第１の実施の形態と同様な切欠１５，１６を形成し互いに嵌め合わせるため、透光板１２，１３の端部が二枚の透光板１２，１３の交差部１４にも現れ、突起部２２とともにこの鉛直線状の交差部１４にも輝度の高い部分Ａを作り、側縁１２ｂ，１３ｂが輝度の低い部分Ｂとなる。
【００１９】
その他は、第１の実施の形態と同様であり、共通部分に同一符号を付している。また第１の実施の形態と同様な効果がある。
この発明の第４の実施の形態を図１５ないし図１８に示す。すなわち、この照明器具は、第１の実施の形態において、装飾体２の各透光板１２，１３の形状を長方形としたものである。この第４の実施の形態においても各透光板１２，１３の側縁１２ｂ，１３ｂおよび先端縁１２ｃ，１３ｃが発光面となるとともに切欠１５，１６のある交差部１４が発光面となる。この場合、ランプ光の照射方向から考えて先端縁１２ｃ，１３ｃの輝度が側縁１２ｂ，１３ｂの輝度よりも大きい。
【００２０】
その他は、第１の実施の形態と同様であり、共通部分に同一符号を付している。また第１の実施の形態と同様な効果がある。
なお、この発明において、透光板１２，１３の一方のみに切欠１５，１６が形成されてもよく、また一つの透光板１２に複数の透光板が交差してもよく、さらに各透光板１２，１３にそれぞれ複数の透光板を交差させると、美的な装飾効果をより一層高めることができる。
【００２１】
また平面形状の異なる透光板１２等を交換可能にして美的な装飾効果を高めてもよい。
さらに装飾体２は透光板１２，１３を十字に交差したが、９０度以外のたとえばＸ字に交差するものでよく、また交差部１４は中心になくてもよく、たとえばＬ字に交差するものでもよい。
【００２２】
さらに装飾体２の配置は透光板１２，１３が照射開口３の投光方向に略平行であるが、この投光方向が開口面に垂直に限らず斜めである場合をも含む。
また透光板１２，１３の端部が光るため、装飾体２を複数個取付けると高い装飾性があり美的効果があがる。
【００２３】
【発明の効果】
請求項１記載の照明器具によれば、器具本体内のランプの点灯により照射開口および透光板を透して光が照射されるので器具本体の照明配光をほとんど損なわない。また光が透光板のランプ側の端縁から入射し透光板内を反射して、主に側縁および先端縁ならびに切欠縁から外方に出射するので、透光板の先端縁および側縁ならびに交差部の切欠縁に輝度感のある発光が可能となる。このため、従来に比して輝度感による高いアイキャッチ効果が得られ、にぎやかさや豪華さなどの装飾的および美的な光を演出することができる。また透光板の平面形状により先端縁側に光を集中したり、平面形状の異なる透光板を交換可能にしたり、あるいは透光板の個数を増加することにより、より一層美的な装飾効果を高められる。
【図面の簡単な説明】
【図１】この発明の第１の実施の形態の透光板内を通る光線を説明する概略断面図である。
【図２】照明器具の右側面図である。
【図３】装飾体の分解斜視図である。
【図４】装飾体の斜視図である。
【図５】図１と別の透光板内を通る光線を説明する概略断面図である。
【図６】照明器具の左側面図である。
【図７】第２の実施の形態の照明器具の右側面図である。
【図８】透光板内を通る光線を説明する概略断面図である。
【図９】別の透光板内を通る光線を説明する概略断面図である。
【図１０】照明器具の左側面図である。
【図１１】第３の実施の形態の照明器具の右側面図である。
【図１２】透光板内を通る光線を説明する概略断面図である。
【図１３】別の透光板内を通る光線を説明する概略断面図である。
【図１４】照明器具の左側面図である。
【図１５】第４の実施の形態の照明器具の右側面図である。
【図１６】透光板内を通る光線を説明する概略断面図である。
【図１７】化粧リングに取付けられた装飾体の斜視図である。
【図１８】照明器具の左側面図である。
【図１９】第１の従来例の概略断面図である。
【図２０】その装飾体の斜視図である。
【図２１】第２の従来例の断面図である。
【図２２】その装飾体の斜視図である。
【符号の説明】
１    器具本体
２    装飾体
３    照射開口
４    ランプ
１２，１３  透光板
１４    交差部
１５，１６  切欠
【図１】
0003747514.tif 000002
【図２】
0003747514.tif 000003
【図３】
0003747514.tif 000004
【図４】
0003747514.tif 000005
【図５】
0003747514.tif 000006
【図６】
0003747514.tif 000007
【図７】
0003747514.tif 000008
【図８】
0003747514.tif 000009
【図９】
0003747514.tif 000010
【図１０】
0003747514.tif 000011
【図１１】
0003747514.tif 000012
【図１２】
0003747514.tif 000013
【図１３】
0003747514.tif 000014
【図１４】
0003747514.tif 000015
【図１５】
0003747514.tif 000016
【図１６】
0003747514.tif 000017
【図１７】
0003747514.tif 000018
【図１８】
0003747514.tif 000019
【図１９】
0003747514.tif 000020
【図２０】
0003747514.tif 000021
【図２１】
0003747514.tif 000022
【図２２】
0003747514.tif 000023